(57)【特許請求の範囲】
【請求項１】
移動局の複数のアンテナにより送信されるデータをプリコーディングするための第１のプリコーディングマトリックスに基づいて、前記データと共に送信される復調参照信号をプリコーディングし、第２のプリコーディングマトリックスに基づいて、前記データと共に送信される測定参照信号をプリコーディングするステップであって、前記第１及び第２のプリコーディングマトリックスの異なる列及び異なる行が異なるデータ及び異なるアンテナに対応する、ステップと、
プリコーディングされた測定参照信号及びプリコーディングされた復調参照信号を送信するステップと、を含み、
前記第１のプリコーディングマトリックスにおける全ての列ベクトルと前記第２のプリコーディングマトリックスにおける全ての列ベクトルとを配列して構成されたマトリックスのランクは、前記アンテナの個数以上である、参照信号送信方法。
【請求項２】
前記第１及び第２のプリコーディングマトリックスが基地局により予め設定されて、移動局に通知する、或いは
前記第１のプリコーディングマトリックスが基地局により予め設定されて、移動局に通知し、前記移動局が前記第１のプリコーディングマトリックスを受信した後で、前記第１のプリコーディングマトリックス、及び予め定義された第１のプリコーディングマトリックスと第２のプリコーディングマトリックスとの対応方式に基づいて前記第２のプリコーディングマトリックスを決定する請求項１に記載の参照信号送信方法。
【請求項３】
前記第１のプリコーディングマトリックスと前記第２のプリコーディングマトリックスとは互いに直交している請求項１に記載の参照信号送信方法。
【請求項４】
前記第１及び第２のプリコーディングマトリックスは、基地局により不定期に変更されて、移動局に通知する請求項１に記載の参照信号送信方法。
【請求項５】
受信された、移動局の複数のアンテナからデータと共に送信された、第１のプリコーディングマトリックスによりプリコーディングされた復調参照信号基づいて、チャネル推定を行って、復調参照信号チャネル推定値を取得し、受信された、前記データと共に送信された、第２のプリコーディングマトリックスによりプリコーディングされた測定参照信号基づいて、チャネル推定を行って、測定参照信号チャネル推定値を取得するステップであって、前記第１及び第２のプリコーディングマトリックスの異なる列及び異なる行が異なるデータ及び異なるアンテナに対応する、ステップと、
前記第１のプリコーディングマトリックス及び取得された復調参照信号チャネル推定値に基づいて、対応するアンテナのチャネル品質推定値を変数とする第１の方程式の集合を取得し、前記第２のプリコーディングマトリックス及び取得された測定参照信号チャネル推定値に基づいて、対応するアンテナのチャネル品質推定値を変数とする第２の方程式の集合を取得するステップであって、前記第１のプリコーディングマトリックスにおける全ての列ベクトルと前記第２のプリコーディングマトリックスにおける全ての列ベクトルとを配列して構成されたマトリックスのランクが前記アンテナの個数以上である、ステップと、
前記第１の方程式の集合と前記第２の方程式の集合とを結合することによって、各アンテナのチャネル品質推定値を取得するステップと、を含むチャネル品質推定方法。
【請求項６】
前記第１及び第２のプリコーディングマトリックスが基地局により予め設定されて、移動局に通知する、或いは
前記第１のプリコーディングマトリックスが基地局により予め設定されて、移動局に通知し、前記移動局が前記第１のプリコーディングマトリックスを受信した後で、前記第１のプリコーディングマトリックス、及び予め定義された第１のプリコーディングマトリックスと第２のプリコーディングマトリックスとの対応方式に基づいて前記第２のプリコーディングマトリックスを決定する請求項５に記載のチャネル品質推定方法。
【請求項７】
前記第１のプリコーディングマトリックスと前記第２のプリコーディングマトリックスとは互いに直交している請求項５に記載のチャネル品質推定方法。
【請求項８】
前記第１及び第２のプリコーディングマトリックスは、基地局により不定期に変更されて、移動局に通知する請求項５に記載のチャネル品質推定方法。
【請求項９】
複数のアンテナと、
前記複数のアンテナにより送信されるデータをプリコーディングするための第１のプリコーディングマトリックスに基づいて、前記データと共に送信される復調参照信号をプリコーディングし、第２のプリコーディングマトリックスに基づいて、前記データと共に送信される測定参照信号をプリコーディングするプリコーティング手段であって、前記第１及び第２のプリコーディングマトリックスの異なる列及び異なる行が異なるデータ及び異なるアンテナに対応し、前記第１のプリコーディングマトリックスにおける全ての列ベクトルと前記第２のプリコーディングマトリックスにおける全ての列ベクトルとを配列して構成されたマトリックスのランクが前記アンテナの個数以上である、プリコーディング手段と、
プリコーディングされた測定参照信号及びプリコーディングされた復調参照信号を送信する送信手段と、を含む移動局。
【請求項１０】
前記第１及び第２のプリコーディングマトリックスが基地局により予め設定されて、移動局に通知する、或いは
前記第１のプリコーディングマトリックスが基地局により予め設定されて、移動局に通知し、前記移動局が前記第１のプリコーディングマトリックスを受信した後で、前記第１のプリコーディングマトリックス、及び予め定義された第１のプリコーディングマトリックスと第２のプリコーディングマトリックスとの対応方式に基づいて前記第２のプリコーディングマトリックスを決定する請求項９に記載の移動局。
【請求項１１】
前記第１のプリコーディングマトリックスと前記第２のプリコーディングマトリックスとは互いに直交している請求項９に記載の移動局。
【請求項１２】
前記第１及び第２のプリコーディングマトリックスは、基地局により不定期に変更されて、移動局に通知する請求項１に記載の移動局。
【請求項１３】
受信された、移動局の複数のアンテナからデータと共に送信された、第１のプリコーディングマトリックスによりプリコーディングされた復調参照信号基づいて、チャネル推定を行って、復調参照信号チャネル推定値を取得し、受信された、前記データと共に送信された、第２のプリコーディングマトリックスによりプリコーディングされた測定参照信号基づいて、チャネル推定を行って、測定参照信号チャネル推定値を取得するチャネル推定手段であって、前記第１及び第２のプリコーディングマトリックスの異なる列及び異なる行が異なるデータ及び異なるアンテナに対応する、チャネル推定手段と、
前記第１のプリコーディングマトリックス及び取得された復調参照信号チャネル推定値に基づいて、対応するアンテナのチャネル品質推定値を変数とする第１の方程式の集合を取得し、前記第２のプリコーディングマトリックス及び取得された測定参照信号チャネル推定値に基づいて、対応するアンテナのチャネル品質推定値を変数とする第２の方程式の集合を取得する第１の演算手段であって、前記第１のプリコーディングマトリックスにおける全ての列ベクトルと前記第２のプリコーディングマトリックスにおける全ての列ベクトルとを配列して構成されたマトリックスのランクが前記アンテナの個数以上である、第１の演算手段と、
前記第１の方程式の集合と前記第２の方程式の集合とを結合することによって、各アンテナのチャネル品質推定値を取得する第２の演算手段と、を含む基地局。
【請求項１４】
前記第１及び第２のプリコーディングマトリックスが基地局により予め設定されて、移動局に通知する、或いは
前記第１のプリコーディングマトリックスが基地局により予め設定されて、移動局に通知し、前記移動局が前記第１のプリコーディングマトリックスを受信した後で、前記第１のプリコーディングマトリックス、及び予め定義された第１のプリコーディングマトリックスと第２のプリコーディングマトリックスとの対応方式に基づいて前記第２のプリコーディングマトリックスを決定する請求項１３に記載の基地局。
【請求項１５】
前記第１のプリコーディングマトリックスと前記第２のプリコーディングマトリックスとは互いに直交している請求項１３に記載の基地局。
【請求項１６】
前記第１及び第２のプリコーディングマトリックスは、基地局により不定期に変更されて、移動局に通知する請求項１３に記載の基地局。
【請求項１７】
請求項９乃至１２のいずれかに記載の移動局と、
請求項１３乃至１６のいずれかに記載の基地局と、を含む無線通信システム。
【発明の詳細な説明】
【技術分野】
【０００１】
本発明は、無線通信技術に関し、具体的には、参照信号送信方法、チャネル品質推定方法、移動局、基地局及び無線通信システムに関する。
【背景技術】
【０００２】
第４世代（４Ｇ）無線通信システムは、例えばＬＴＥ（Ｌｏｎｇ  Ｔｅｒｍ  Ｅｖｏｌｕｔｉｏｎ：ロング・ターム・エボリューション）のシングルキャリア周波数分割多元接続（ＳＣ−ＦＤＭＡ）のアップシンクにおいて、参照信号（ＲＳ：Ｒｅｆｅｒｅｎｃｅ  Ｓｉｇｎａｌ）を用いることでデータ復調及びチャネル測定を行う。
【０００３】
アップリンク参照信号の機能としては、コヒーレント復調に必要なチャネル推定、アップリンクスケジューリングのチャネル品質測定、パワー制御、タイミング推定、及びダウンリンクビームフォーミングをサポートする到来方向推定などに用いられる。
【０００４】
ＬＴＥにおけるアップリンク参照信号は主にｚａｄｏｆｆ−ｃｈｕ（ＺＣ）系列に基づいている。ＺＣシーケンスはＧＣＬ（Ｇｅｎｅｒａｌｉｚｅｄ  Ｃｈｉｒｐ−ｌｉｋｅ）系列とも称される。これらの系列は共に非２進法単位振幅の系列であり、ＣＡＺＡＣ（Ｃｏｎｓｔａｎｔ  Ａｍｐｌｉｔｕｄｅ  Ｚｅｒｏ  Ａｕｔｏｃｏｒｒｅｌａｔｉｏｎ：定振幅ゼロ自己相関）の特性を満たすものである。ＣＡＺＡＣ系列は、形式が
【数１】
0005494888.tif 000002
の複素数信号である。長さが素数NZCのＺＣ系列は、
【数２】
0005494888.tif 000003
と表示され、ここで、q∈{1,…,NZC-1}はＺＣ系列のルートインデックスであり、n=0,1,…,  NZC-1、l∈N。簡略化するため、ＬＴＥにおいて、l=0と設定される。
【０００５】
ＺＣ系列は以下の特性を有する。
【０００６】
１．ＺＣ系列は定振幅を有し、ＤＦＴ演算を行っても定振幅である。定振幅の特性は、ピーク対平均電力比、及び他のユーザに対する境界と時間平坦型干渉を制限している。また、幅でなく位相のみを計算、保存する必要がある場合、このような特性は実施を簡略化している。
【０００７】
２．如何なる長さのＺＣ系列は理想の循環自己相関性を有する、即ち循環シフト相関はδ関数である。
【０００８】
ＺＣ系列の理想の特性のため、アップリンクの参照信号は以下のよい特性を有する。（１）周波数領域において幅が固定である。これは、不偏チャネル推定において全ての割り当てられるサブキャリアに対して同じ激励を行うためである、（２）時間領域における低いキュービックメトリック（ＣＭ）値が低い、（３）非常によい自己相関特性。精確のチャネル推定に有利である、（４）よい相互相関特性。他のセルからの同じリソースで発送された参照信号の干渉を低減する。
【０００９】
アップリンクは以下の２種類の参照信号をサポートしている。
（１）復調参照信号（Ｄｅｍｏｄｕｌａｔｉｏｎ  ＲＳ：ＤＭＲＳ）。この種の参照信号は、主にアップリンクのデータ伝送又はシグナリング情報伝送のチャネル推定を行って、関連検知を行うことに用いられる。
（２）測定参照信号（Ｓｏｕｎｄｉｎｇ  ＲＳ：ＳＲＳ）。この種の参照信号は、主にチャネル品質測定を行って、アップリンクの周波数を選択的にスケジューリングすることに用いられる。
【００１０】
ＬＴＥシステムでは、一つのサブフレーム（ｓｕｂｆｒａｍｅ）は合計１４個のシンボルを有し、０、２、１、…、１３とシンボルを付けられる。Ｒｅｌ.８／９システムでは、ユーザのＳＲＳ信号は１３番目のシンボルのみにおいて伝送できる。Ｒｅｌ.８／９システムでは、ユーザのＤＭＲＳ信号は、３番目のシンボル及び１０番目のシンボルのみにおいて伝送できる。アップリンクのＤＭＲＳ及びＳＲＳとデータとはシンボルの時分割多重化を行う。一つの所定の移動局のＤＭＲＳと該移動局から送信されたアップリンクデータチャネル（ＰＵＳＣＨ）又はアップリンクシグナリングチャネル（ＰＵＣＣＨ）とは同一の帯域幅、例えば全てのセル帯域幅（ｃｅｌｌ  ｂａｎｄｗｉｄｔｈ）におけるＰＵＳＣＨ帯域幅を有する。このため、システムの異なる帯域幅を異なる各ユーザに割り当てる場合（ＦＤＭＡ）、各ユーザのＤＭＲＳは互いに直交する。一方、ユーザのＳＲＳ帯域幅とデータを伝送するための帯域幅とは異なってもよい。ユーザのＳＲＳはいつもサブフレームの最後のＳＣ−ＦＭＤＡシンボルにおいて送信し、且つ該ＳＲＳ信号のパラメータはシステムの上位層（ｕｐｐｅｒ  ｌａｙｅｒ）シグナリングにより通知する。各移動局のＳＲＳは、周波数分割多重方式（ＦＤＭ）、符号分割多重方式（ＣＤＭ）で多重化を行う、或いは時分割多重方式（ＴＤＭ）で多重化を行う。
【００１１】
ＬＴＥシステムでは、ユーザのアップリンク信号送信は、単一アンテナ送信モード又はアンテナ選択送信モードをサポートしている。ＳＲＳリソースを割り当てる時に、各ユーザに１組のＳＲＳリソースを割り当てさえすればよい。
【００１２】
ＬＴＥ−Ａｄｖａｎｃｅｄシステムでは、より高いアップリンク伝送速度の指標を満たすため、移動局がアップリンクにおいてより高いランク（Ｒａｎｋ）の伝送、例えばｒａｎｋ１−ｒａｎｋ４の伝送をサポートする必要がある。従って、移動局はより大きい数のアンテナを配置する必要があり、例えば移動局は最大ランクが２の伝送をサポートするように２本のアンテナを配置する、或いは移動局は最大ランクが４の伝送をサポートするように４本のアンテナを配置する。
【００１３】
移動局はより高いランクの伝送を行うようにより大きい数のアンテナを配置する場合、各アンテナのチャネル品質を測定、推定するため、各アンテナにより多いリソースを割り当てる必要があるから、より多いＳＲＳリソースを占有することに繋がる。
【００１４】
従って、他の方法を利用して、移動局が複数のアンテナを配置する場合、各アンテナのチャネル品質推定においてＳＲＳリソースを占有することを低減しなければならない。
【００１５】
従来技術では以下の方法を採用して、上述した問題点を解決する。
【００１６】
一つ目の方法は、ＤＭＲＳをプリコーディングすることなく、ＤＭＲＳもＳＲＳとして用いられることで、ＳＲＳリソースを占有することを低減する。この方法の欠点として、異なるＤＭＲＳの物理アップリンク共有チャネル（ＰＵＳＣＨ）に対して２つの受信装置が必要であり、一つの受信装置はプリコーディングされたＤＭＲＳに用いられ、もう一つの受信装置はプリコーディングされていないＤＭＲＳに用いられる。また、プリコーディングされていないＤＭＲＳによりチャネル品質推定を行う場合、各アンテナが一つの循環シフトリソースを占有するため、循環シフト（ＣＳ）リソースの使用率が低い。
【００１７】
２つ目の方法は、ＤＭＲＳサブフレームにおいてプリコーディングされたＤＭＲＳとプリコーディングされていないＤＭＲＳとの２つの信号を送信する。この種の方法では、プリコーディングされたＤＭＲＳはいつも存在するため、２つの受信装置が必要ではない。しかし、プリコーディングされていないＤＭＲＳによりチャネル品質推定を行う場合、各アンテナが一つの循環シフトリソースを占有するため、循環シフトリソースの使用率が低い問題点は依然として存在する。
【００１８】
以上のことから、移動局が複数のアンテナを配置する場合、各アンテナのチャネル品質推定におけるＳＲＳリソースを占有することを効果的に低減できる、参照信号送信方法及び対応するチャネル品質推定方法を提供する必要がある。
【発明の概要】
【発明が解決しようとする課題】
【００１９】
以下は、本発明のある方面の基本を理解させるため、本発明について簡単に説明する。なお、本発明は、ここの簡単な説明に限定されない。本発明のキーポイント又は重要な部分、及び本発明の範囲は、ここに示されることに限定されない。以下の説明は、本発明のある概念を簡単な形式で説明するものであり、後のより詳しい説明の前書きに過ぎない。
【００２０】
本発明は、上述の従来技術の問題点又は一部の問題点に鑑み、少なくとも一つの目的として、移動局が複数のアンテナを配置する場合、各アンテナのチャネル品質推定におけるＳＲＳリソースを占有することを効果的に低減できる参照信号送信方法、チャネル品質推定方法、移動局、基地局及び無線通信システムを提供する。
【課題を解決するための手段】
【００２１】
本発明の一の態様によれば、移動局の複数のアンテナにより送信されるデータをプリコーディングするための第１のプリコーディングマトリックスに基づいて、前記データと共に送信される復調参照信号をプリコーディングし、第２のプリコーディングマトリックスに基づいて、前記データと共に送信される測定参照信号をプリコーディングするステップであって、前記第１及び第２のプリコーディングマトリックスの異なる列及び異なる行が異なるデータ及び異なるアンテナに対応する、ステップと、プリコーディングされた測定参照信号及びプリコーディングされた復調参照信号を送信するステップと、を含み、前記第１のプリコーディングマトリックスにおける全ての列ベクトルと前記第２のプリコーディングマトリックスにおける全ての列ベクトルとを配列して構成されたマトリックスのランクは、前記アンテナの個数以上である、参照信号送信方法を提供する。
【００２２】
この態様では、前記第１及び第２のプリコーディングマトリックスが基地局により予め設定されて、移動局に通知する、或いは前記第１のプリコーディングマトリックスが基地局により予め設定されて、移動局に通知し、前記移動局が前記第１のプリコーディングマトリックスを受信した後で、前記第１のプリコーディングマトリックス、及び予め定義された第１のプリコーディングマトリックスと第２のプリコーディングマトリックスとの対応方式に基づいて前記第２のプリコーディングマトリックスを決定してもよい。
【００２３】
この態様では、前記第１のプリコーディングマトリックスと前記第２のプリコーディングマトリックスとは互いに直交してもよい。
【００２４】
この態様では、前記第１及び第２のプリコーディングマトリックスは、基地局により不定期に変更されて、移動局に通知してもよい。
【００２５】
本発明の他の態様によれば、受信された、移動局の複数のアンテナからデータと共に送信された、第１のプリコーディングマトリックスによりプリコーディングされた復調参照信号基づいて、チャネル推定を行って、復調参照信号チャネル推定値を取得し、受信された、前記データと共に送信された、第２のプリコーディングマトリックスによりプリコーディングされた測定参照信号基づいて、チャネル推定を行って、測定参照信号チャネル推定値を取得するステップであって、前記第１及び第２のプリコーディングマトリックスの異なる列及び異なる行が異なるデータ及び異なるアンテナに対応する、ステップと、前記第１のプリコーディングマトリックス及び取得された復調参照信号チャネル推定値に基づいて、対応するアンテナのチャネル品質推定値を変数とする第１の方程式の集合を取得し、前記第２のプリコーディングマトリックス及び取得された測定参照信号チャネル推定値に基づいて、対応するアンテナのチャネル品質推定値を変数とする第２の方程式の集合を取得するステップであって、前記第１のプリコーディングマトリックスにおける全ての列ベクトルと前記第２のプリコーディングマトリックスにおける全ての列ベクトルとを配列して構成されたマトリックスのランクが前記アンテナの個数以上である、ステップと、前記第１の方程式の集合と前記第２の方程式の集合とを結合することによって、各アンテナのチャネル品質推定値を取得するステップと、を含むチャネル品質推定方法を提供する。
【００２６】
この態様では、前記第１及び第２のプリコーディングマトリックスが基地局により予め設定されて、移動局に通知する、或いは前記第１のプリコーディングマトリックスが基地局により予め設定されて、移動局に通知し、前記移動局が前記第１のプリコーディングマトリックスを受信した後で、前記第１のプリコーディングマトリックス、及び予め定義された第１のプリコーディングマトリックスと第２のプリコーディングマトリックスとの対応方式に基づいて前記第２のプリコーディングマトリックスを決定してもよい。
【００２７】
この態様では、前記第１のプリコーディングマトリックスと前記第２のプリコーディングマトリックスとは互いに直交してもよい。
【００２８】
この態様では、前記第１及び第２のプリコーディングマトリックスは、基地局により不定期に変更されて、移動局に通知してもよい。
【００２９】
本発明の他の態様によれば、複数のアンテナと、前記複数のアンテナにより送信されるデータをプリコーディングするための第１のプリコーディングマトリックスに基づいて、前記データと共に送信される復調参照信号をプリコーディングし、第２のプリコーディングマトリックスに基づいて、前記データと共に送信される測定参照信号をプリコーディングするプリコーティング手段であって、前記第１及び第２のプリコーディングマトリックスの異なる列及び異なる行が異なるデータ及び異なるアンテナに対応し、前記第１のプリコーディングマトリックスにおける全ての列ベクトルと前記第２のプリコーディングマトリックスにおける全ての列ベクトルとを配列して構成されたマトリックスのランクが前記アンテナの個数以上である、プリコーディング手段と、プリコーディングされた測定参照信号及びプリコーディングされた復調参照信号を送信する送信手段と、を含む移動局を提供する。
【００３０】
この態様では、前記第１及び第２のプリコーディングマトリックスが基地局により予め設定されて、移動局に通知する、或いは前記第１のプリコーディングマトリックスが基地局により予め設定されて、移動局に通知し、前記移動局が前記第１のプリコーディングマトリックスを受信した後で、前記第１のプリコーディングマトリックス、及び予め定義された第１のプリコーディングマトリックスと第２のプリコーディングマトリックスとの対応方式に基づいて前記第２のプリコーディングマトリックスを決定してもよい。
【００３１】
この態様では、前記第１のプリコーディングマトリックスと前記第２のプリコーディングマトリックスとは互いに直交してもよい。
【００３２】
この態様では、前記第１及び第２のプリコーディングマトリックスは、基地局により不定期に変更されて、移動局に通知してもよい。
【００３３】
本発明の他の態様によれば、受信された、移動局の複数のアンテナからデータと共に送信された、第１のプリコーディングマトリックスによりプリコーディングされた復調参照信号基づいて、チャネル推定を行って、復調参照信号チャネル推定値を取得し、受信された、前記データと共に送信された、第２のプリコーディングマトリックスによりプリコーディングされた測定参照信号基づいて、チャネル推定を行って、測定参照信号チャネル推定値を取得するチャネル推定手段であって、前記第１及び第２のプリコーディングマトリックスの異なる列及び異なる行が異なるデータ及び異なるアンテナに対応する、チャネル推定手段と、前記第１のプリコーディングマトリックス及び取得された復調参照信号チャネル推定値に基づいて、対応するアンテナのチャネル品質推定値を変数とする第１の方程式の集合を取得し、前記第２のプリコーディングマトリックス及び取得された測定参照信号チャネル推定値に基づいて、対応するアンテナのチャネル品質推定値を変数とする第２の方程式の集合を取得する第１の演算手段であって、前記第１のプリコーディングマトリックスにおける全ての列ベクトルと前記第２のプリコーディングマトリックスにおける全ての列ベクトルとを配列して構成されたマトリックスのランクが前記アンテナの個数以上である、第１の演算手段と、前記第１の方程式の集合と前記第２の方程式の集合とを結合することによって、各アンテナのチャネル品質推定値を取得する第２の演算手段と、を含む基地局を提供する。
【００３４】
この態様では、前記第１及び第２のプリコーディングマトリックスが基地局により予め設定されて、移動局に通知する、或いは前記第１のプリコーディングマトリックスが基地局により予め設定されて、移動局に通知し、前記移動局が前記第１のプリコーディングマトリックスを受信した後で、前記第１のプリコーディングマトリックス、及び予め定義された第１のプリコーディングマトリックスと第２のプリコーディングマトリックスとの対応方式に基づいて前記第２のプリコーディングマトリックスを決定してもよい。
【００３５】
この態様では、前記第１のプリコーディングマトリックスと前記第２のプリコーディングマトリックスとは互いに直交してもよい。
【００３６】
この態様では、前記第１及び第２のプリコーディングマトリックスは、基地局により不定期に変更されて、移動局に通知してもよい。
【００３７】
本発明の他の態様によれば、上述した移動局と、上述した基地局と、を含む無線通信システムを提供する。
【発明の効果】
【００３８】
本発明によれば、移動局が複数のアンテナを配置する場合、各アンテナのチャネル品質推定においてＳＲＳリソースを占有することを効果的に低減できる。
【図面の簡単な説明】
【００３９】
以下、図面に基づく本発明の実施例についての説明を参照すると、本発明の以上及びその他の目的と特徴、利点をより理解し易くなる。図面には、同様又は対応の技術的な特徴や部品に同一又は類似の図面符号を付与して示している。
【図１】本発明の第１実施例に係る参照信号送信方法を示すフローチャート。
【図２】本発明の第２実施例に係る参照信号送信方法を示すフローチャート。
【図３】本発明の第３実施例に係るチャネル品質推定方法を示すフローチャート。
【図４】本発明の第４実施例に係るチャネル品質推定方法を示すフローチャート。
【図５】本発明の第５実施例に係る移動局を示す模式図。
【図６】本発明の第６実施例に係る基地局を示す模式図。
【図７】本発明の第７実施例に係る無線通信システムを示す模式図。  図面におけるユニットは、簡単且つ明確に説明するために例示するものに過ぎなく、縮尺に合わして図を引くことではない。例えば、図に示されるあるユニットのサイズは、発明がより明確に理解されるように、他のユニットに比べて拡大される場合がある。
【発明を実施するための形態】
【００４０】
以下の説明及び図面を参照し、本発明の上述の及び他の態様及び特徴が一層明らかになるだろう。説明及び図面は、本発明の特定の実施形態を具体的に開示し、本発明の原理及び適応されうる方法を特定する。本発明の範囲はそれにより限定されないことが理解されるべきである。添付の特許請求の範囲の精神及び規定の範囲内で、本発明は種々の変化、変更及び等価物を包含する。
【００４１】
なお、明らかにするために、図面と説明には、本発明とは関係がない、当業者にとって既に知られている部品や処理の表示や記述を省略する。
【００４２】
例えば、本発明は、無線通信システムにおける参照信号送信方法及び該方法を用いる移動局、チャネル品質推定方法及び該方法を用いる基地局、並びに該移動局と該基地局とを含む無線通信システムに関する。従って、本発明と関係が少ない基地局側の変調及び符号化方法の選択、変調及び符号化のプロセス、スケジューリングアルゴリズム、及び無線データの送受信プロセスにおける距離測定、同期化、符号化及び復号化などのプロセスに関する説明を省略され、主に移動局の参照信号送信及び基地局のアンテナチャネル品質推定と関係があるプロセスのみを説明する。
【００４３】
移動局に４つのアンテナを配置し、アップリンクＤＭＲＳがプリコーディングマトリックス[1,1,1,1]Tを用いてプリコーディングすると共に、システムが一つの層のデータを伝送することとされる。
【００４４】
この場合は、ＤＭＲＳのチャネル推定により、H＝H1+H2+H3+H4+nを得ることができる。ここで、Hn（n∈{1,2,3,4}）はｎ番目のアンテナのチャネル品質推定値である。上記の式からみると、方程式の数が解かれる変数（即ち各アンテナのチャネル品質推定値）の数よりも少ないため、理論上Ｈから各アンテナのチャネル品質推定値を単独に分割することができない。
【００４５】
一方、移動局に４つのアンテナを相変わらず配置し、アップリンクＤＭＲＳがプリコーディングマトリックス[1  1  0  0;0  0  1  -j]Tを用いてプリコーディングすることとされる。この際、システムは２つの層のデータを伝送する。
【００４６】
この場合は、ＤＭＲＳのチャネル推定により、Ha=H1+H2+na,  Hb=H3-H4*j+nbを得ることができる。ここで、Hn（n∈{1,2,3,4}）はｎ番目のアンテナのチャネル品質推定値であり、Hx（x∈{a,b}）はｘ層目のチャネル品質推定値であり、na及びnbはノイズである。上記の式からみると、方程式の数が解かれる変数（即ち各アンテナのチャネル品質推定値）の数よりも少ないため、理論上Ｈａ及びＨｂから各アンテナのチャネル品質推定値を単独に分割することができない。
【００４７】
本願発明の発明者は上記発見に基づいて本発明を提出している。
【００４８】
まず、本発明は、移動局に用いられる参照信号送信方法を提供している。
【００４９】
図１は、本発明の第１実施例に係る参照信号送信方法を示すフローチャートである。
【００５０】
図１に示すように、本発明の第１実施例に係る参照信号送信方法は、ステップＳ１０１から始まる。
【００５１】
ステップＳ１０１において、移動局の複数のアンテナにより送信されるデータをプリコーディングするための第１のプリコーディングマトリックスに基づいて、該データと共に送信される復調参照信号（ＤＭＲＳ）をプリコーディングし、第２のプリコーディングマトリックスに基づいて、該データと共に送信される測定参照信号（ＳＲＳ）をプリコーディングする。ここで、第１プリコーディングマトリックス及び第２のプリコーディングマトリックスの異なる列及び異なる行は、異なるデータ及び異なるアンテナに対応している。
【００５２】
言い換えれば、ステップＳ１０１において、ＤＭＲＳをプリコーディングすることだけではなく、ＳＲＳに対してもプリコーディングする。
【００５３】
また、ステップＳ１０１において、第１のプリコーディングマトリックスにおける全ての列ベクトルと第２のプリコーディングマトリックスにおける全ての列ベクトルとを配列して構成されたマトリックスのランクは、アンテナの個数以上である。
【００５４】
次に、ステップＳ１０２において、プリコーディングされた測定参照信号及びプリコーディングされた復調参照信号を送信する。
【００５５】
このように、対応する基地局側では、第１のプリコーディングマトリックスにおける全ての列ベクトル及びプリコーディングされたＤＭＲＳ信号に基づくチャネル品質推定値に基づいて第１の方程式の集合を取得することができる。該第１の方程式の集合における方程式の数と第１のプリコーディングマトリックスにおける全ての列ベクトルの数とは同じである。第２のプリコーディングマトリックスにおける全ての列ベクトル及びプリコーディングされたＳＲＳ信号に基づくチャネル品質推定値に基づいて第２の方程式の集合を取得することができる。該第２の方程式の集合における方程式の数と第２のプリコーディングマトリックスにおける全ての列ベクトルの数とは同じである。この２つのマトリックスにおける全ての列ベクトルを配列して構成されたマトリックスのランクがアンテナの数以上であるため、第１の方程式の集合及び第２の方程式の集合における方程式の合計数は解かれる変数（即ち各アンテナのチャネル品質推定値）の数以上である。従って、この２つの方程式の集合に基づいて、各アンテナのチャネル品質推定値を取得することができる。第１のプリコーディングマトリックスにおける全ての列ベクトルと第２のプリコーディングマトリックスにおける全ての列ベクトルとを配列して構成されたマトリックスのランクがアンテナの数と同じである場合は、各アンテナのチャネル品質推定値をちょうど算出することができる。第１のプリコーディングマトリックスにおける全ての列ベクトルと第２のプリコーディングマトリックスにおける全ての列ベクトルとを配列して構成されたマトリックスのランクがアンテナの数よりも大きい場合は、第１の方程式の集合及び第２の方程式の集合からアンテナの数と同じ数の方程式を任意に選択して、各アンテナのチャネル品質推定値を算出することができる。
【００５６】
なお、具体的な適用する要求に応じて、実際の無線通信システムの応用要求を満たすように、本発明に用いられる第１のプリコーディングマトリックス及び第２のプリコーディングマトリックスなどを選択、或いは設定してもよい。
【００５７】
以上のことから、本発明の第１実施例に係る参照信号送信方法によれば、第１のプリコーディングマトリックス及び第２のプリコーディングマトリックスのそれぞれに基づいてＤＭＲＳ及びＳＲＳをプリコーディングし、且つこの２つのプリコーディングマトリックスにおける全ての列ベクトルを配列して構成されたマトリックスのランクがアンテナの個数以上であることによって、対応する基地局側はＤＭＲＳ及びＳＲＳを結合して利用することで各アンテナのチャネル品質推定を行うことができる。
【００５８】
本発明の第１実施例に係る参照信号送信方法によれば、プリコーディングされたＤＭＲＳとプリコーディングされたＳＲＳを結合して使用することでアンテナチャネル品質推定におけるＳＲＳリソースに対する占有を効果的に低減し、プリコーディングされたＤＭＲＳを単独に使用する場合に各アンテナのチャネル品質推定を行うことができないという欠点を回避する。
【００５９】
また、本発明の第１実施例に係る参照信号送信方法によれば、プリコーディングされたＤＭＲＳ及びプリコーディングされたＳＲＳを送信することで、基地局側はプリコーディングされたＤＭＲＳとプリコーディングされたＳＲＳを結合してチャネル品質推定を行うことができる。従って、２つの受信装置が必要なく、循環シフトリソースを占有することも低減され、従来技術における上述した欠点が解消される。
【００６０】
以下、第１のプリコーディングマトリックスと第２のプリコーディングマトリックスとが互いに直交する場合の例を示している。
【００６１】
表１は、二層伝送に用いられるプリコーディングマトリックスのコードブックを示している。
【表１】
0005494888.tif 000004
【００６２】
４つのアンテナを有する移動局において上述した表１におけるプリコーディングインデックス０を用いてｒａｎｋ−２信号を送信する場合は、従来技術におけるプリコーディングされていないＤＭＲＳを利用してチャネル品質推定を行う案を採用すると、６つの循環シフトリソースを使用する必要がある。一方、本発明の第１実施例に係る参照信号送信方法を利用すると、プリコーディングされたＤＭＲＳとプリコーディングされたＳＲＳを結合してチャネル品質推定を行うため、４つの循環シフトリソースのみを利用することで各アンテナのチャネル品質推定値を取得することができる。そのうち、２つの循環シフトリソースはＤＭＲＳに用いられ、２つの循環シフトリソースはプリコーディングされたＳＲＳに用いられる。
【００６３】
また、従来技術におけるプリコーディングされたＳＲＳを使用しない方法でチャネル品質推定を行うことを採用すると、アンテナ毎に１つのＳＲＳリソースが必要であるため、４つのＳＲＳリソースが必要である。即ち、従来技術の参照信号送信方法に比べると、本発明の第１実施例に係る参照信号送信方法を用いてチャネル品質推定を行うと、ＳＲＳリソースに対する占有を半分低減することができる。
【００６４】
また、本発明の第１実施例に係る参照信号送信方法は、より少ないＳＲＳリソースを占有することによって、システムに対する干渉を更に低減し、システムのチャネル品質推定の精確性を増加することができる。
【００６５】
好適には、本発明の第１実施例に係る参照信号送信方法において、第１のプリコーディングマトリックスと第２のプリコーディングマトリックスとは互いに直交してもよい。
【００６６】
例えば、一例として、移動局は４つのアンテナを配置している。
【００６７】
移動局側では、プリコーディングマトリックスPdata=[1  1  0  0;0  0  1  -j]Tを用いてデータ及びＤＭＲＳをプリコーディングし、プリコーディングマトリックスPsrs=[1  -1  0  0;0  0  1  j]Tを用いてＳＲＳ信号をプリコーディングする。ここで、プリコーディングマトリックスPdataとプリコーディングマトリックスPsrsとは互いに直交していることは明らかである。
【００６８】
それに応じて、基地局側では、受信されたプリコーディング後のＤＭＲＳに基づいて得られたチャネル品質推定値はh1,dmrsとh2,dmrsであり、受信されたプリコーディング後のＳＲＳに基づいて得られたチャネル品質推定値はh1,srsとh2,srsである。
【００６９】
そして、h1,dmrs、h2,dmrs、h1,srs及びh2,srs、並びにPdataとPsrsとが構成されたフルランク（ｆｕｌｌ  ｒａｎｋ）のマトリックス[1  1  0  0;0  0  1  −j;1  -1  0  0;0  0  1  j]Tに基づいて、以下の方程式の集合を取得できる。
【００７０】
h1,dmrs=Hantenna1+Hantenna2+na，
h2,dmrs=Hantenna3-Hantenna4*j+nb，
h1,srs=Hantenna1-Hantenna2+nc，
h1,srs=Hantenna3+Hantenna4*j+nd。
【００７１】
ここで、Hantennan(n∈{1,2,3,4})はｎ番目のアンテナのチャネル品質推定値であり、ｎａ、ｎｂ、ｎｃ及びｎｄはノイズである。
【００７２】
上記式に示すように、方程式の数（即ち４つ）は解かれる変数（即ち各アンテナのチャネル品質推定値Hantennan(n∈{1,2,3,4})）の数と同じであるため、該方程式の集合に基づいて解いて、以下のような各アンテナのチャネル品質推定値を取得できる。
【００７３】
Hantenna1=H1,dmrs+h1,srs
Hantenna2=H1,dmrs-h1,srs
Hantenna3=H2,dmrs+h2,srs
Hantenna4=(H2,dmrs-h2,srs)/j
なお、上述した本発明の第１実施例に係る例に用いられるプリコーディングマトリックスは一例に過ぎないものであり、本発明はここに例示されるものに限定されない。具体的な適用する要求に応じて、実際の無線通信システムの応用要求を満たすように、異なるプリコーディングマトリックスに設定してもよい。
【００７４】
また、好適には、本発明の第１実施例に係る参照信号送信方法では、第１のプリコーディングマトリックス及び第２のプリコーディングマトリックスは、基地局により予め設定されて、移動局に通知してもよい。
【００７５】
或いは、好適には、第１のプリコーディングマトリックスは基地局により予め設定されて、移動局に通知し、移動局が第１のプリコーディングマトリックスを受信した後で、第１のプリコーディングマトリックス、及び予め定義された第１のプリコーディングマトリックスと第２のプリコーディングマトリックスとの対応方式に基づいて第２のプリコーディングマトリックスを決定してもよい。
【００７６】
また、好適には、本発明の第１実施例に係る参照信号送信方法では、第１のプリコーディングマトリックス及び第２のプリコーディングマトリックスは、基地局により不定期に変更されて、移動局に通知してもよい。
【００７７】
なお、図１に示されるフローチャートに基づいて本発明の第１実施例に係る参照信号送信方法を説明したが、図１に示されるフローチャートは一例に過ぎないものであり、本発明を限定するものではない、実際の要求に応じて図１に示されるフローチャートを変更又は修正してもよい。
【００７８】
なお、図１に示されるフローチャートにおけるシリーズ処理を実行する際に、説明の順序、即ち時間の順序に従って順次実行してもよいし、必ずしも時間の順序に従って実行するものではない。或るステップは並行又は互いに独立に実行してもよい。
【００７９】
図２は、本発明の第２実施例に係る参照信号送信方法を示すフローチャートである。
【００８０】
図２に示すように、本発明の第２実施例に係る参照信号送信方法は、ステップＳ２０１から始まる。
【００８１】
ステップＳ２０１において、移動局の複数のアンテナにより送信されるデータをプリコーディングするための第１のプリコーディングマトリックス及び第２のプリコーディングマトリックスは、基地局により予め設定されて、移動局に通知する。ここで、第１プリコーディングマトリックス及び第２のプリコーディングマトリックスの異なる列及び異なる行は異なるデータ及び異なるアンテナに対応し、且つ第１のプリコーディングマトリックスにおける全ての列ベクトルと第２のプリコーディングマトリックスにおける全ての列ベクトルとを配列して構成されたマトリックスのランクはアンテナの個数以上である。
【００８２】
次に、ステップＳ２０２において、第１のプリコーディングマトリックスに基づいて、ステップＳ２０１におけるデータと共に送信される復調参照信号（ＤＭＲＳ）をプリコーディングし、第２のプリコーディングマトリックスに基づいて、ステップＳ２０１におけるデータと共に送信される測定参照信号（ＳＲＳ）をプリコーディングする。
【００８３】
次に、ステップＳ２０３において、プリコーディングされた測定参照信号及びプリコーディングされた復調参照信号を送信する。
【００８４】
なお、具体的な適用する要求に応じて、実際の無線通信システムの応用要求を満たすように、本発明に用いられる第１のプリコーディングマトリックス及び第２のプリコーディングマトリックスなどを選択、或いは設定してもよい。
【００８５】
以上のことから、本発明の第２実施例に係る参照信号送信方法によれば、基地局により予め設定されて、移動局に通知された第１のプリコーディングマトリックス及び第２のプリコーディングマトリックスに基づいてＤＭＲＳ及びＳＲＳをプリコーディングし、且つこの２つのプリコーディングマトリックスにおける全ての列ベクトルを配列して構成されたマトリックスのランクがアンテナの個数以上であることによって、対応する基地局側はＤＭＲＳ及びＳＲＳを結合して利用することで各アンテナのチャネル品質推定を行うことができる。
【００８６】
本発明の第２実施例に係る参照信号送信方法によれば、プリコーディングされたＤＭＲＳとプリコーディングされたＳＲＳを結合して使用することでアンテナチャネル品質推定におけるＳＲＳリソースに対する占有を効果的に低減し、プリコーディングされたＤＭＲＳを単独に使用する場合に各アンテナのチャネル品質推定を行うことができないという欠点を回避する。
【００８７】
また、本発明の第２実施例に係る参照信号送信方法によれば、プリコーディングされたＤＭＲＳ及びプリコーディングされたＳＲＳを送信することで、基地局側はプリコーディングされたＤＭＲＳとプリコーディングされたＳＲＳを結合してチャネル品質推定を行うことができる。従って、２つの受信装置が必要ではなく、循環シフトリソースを占有することも低減され、従来技術における上述した欠点が解消される。
【００８８】
好適には、本発明の第２実施例に係る参照信号送信方法において、第１のプリコーディングマトリックスと第２のプリコーディングマトリックスとは互いに直交してもよい。
【００８９】
また、好適には、本発明の第１実施例に係る参照信号送信方法では、第１のプリコーディングマトリックス及び第２のプリコーディングマトリックスは、基地局により不定期に変更されて、移動局に通知してもよい。
【００９０】
なお、図２に示されるフローチャートに基づいて本発明の第２実施例に係る参照信号送信方法を説明したが、図２に示されるフローチャートは一例に過ぎないものであり、本発明を限定するものではない、実際の要求に応じて図２に示されるフローチャートを変更又は修正してもよい。
【００９１】
なお、図２に示されるフローチャートにおけるシリーズ処理を実行する際に、説明の順序、即ち時間の順序に従って順次実行してもよいし、必ずしも時間の順序に従って実行するものではない。或るステップは並行又は互いに独立に実行してもよい。
【００９２】
本発明は、基地局に用いられるチャネル品質推定方法を更に提供している。
【００９３】
図３は、本発明の第３実施例に係るチャネル品質推定方法を示すフローチャートである。
【００９４】
図３に示すように、本発明の第３実施例に係るチャネル品質推定方法は、ステップＳ３０１から始まる。
【００９５】
ステップＳ３０１において、受信された、移動局の複数のアンテナからデータと共に送信された、第１のプリコーディングマトリックスによりプリコーディングされた復調参照信号基づいて、チャネル推定を行って、復調参照信号チャネル推定値を取得し、受信された、データと共に送信された、第２のプリコーディングマトリックスによりプリコーディングされた測定参照信号基づいて、チャネル推定を行って、測定参照信号チャネル推定値を取得する。ここで、第１及び第２のプリコーディングマトリックスの異なる列及び異なる行が異なるデータ及び異なるアンテナに対応している。
【００９６】
次に、ステップＳ３０２において、第１のプリコーディングマトリックス及び取得された復調参照信号チャネル推定値に基づいて、対応するアンテナのチャネル品質推定値を変数とする第１の方程式の集合を取得し、第２のプリコーディングマトリックス及び取得された測定参照信号チャネル推定値に基づいて、対応するアンテナのチャネル品質推定値を変数とする第２の方程式の集合を取得する。ここで、第１のプリコーディングマトリックスにおける全ての列ベクトルと第２のプリコーディングマトリックスにおける全ての列ベクトルとを配列して構成されたマトリックスのランクがアンテナの個数以上である。
【００９７】
次に、ステップＳ３０３において、第１の方程式の集合と第２の方程式の集合とを結合することによって、各アンテナのチャネル品質推定値を取得する。
【００９８】
なお、具体的な適用する要求に応じて、実際の無線通信システムの応用要求を満たすように、本発明に用いられる第１のプリコーディングマトリックス及び第２のプリコーディングマトリックスなどを選択、或いは設定してもよい。
【００９９】
以上のことから、本発明の第３実施例に係るチャネル品質推定方法によれば、受信された第１のプリコーディングマトリックスによりプリコーディングされた復調参照信号及び第２のプリコーディングマトリックスによりプリコーディングされた測定参照信号のそれぞれに基づいてチャネル推定を行って、復調参照信号チャネル推定値及び測定参照信号チャネル推定値を取得し、且つこの２つのプリコーディングマトリックスにおける全ての列ベクトルを配列して構成されたマトリックスのランクがアンテナの個数以上であることによって、ＤＭＲＳ及びＳＲＳを結合して利用することで各アンテナのチャネル品質推定を行うことができる。
【０１００】
本発明の第３実施例に係るチャネル品質推定方法によれば、プリコーディングされたＤＭＲＳとプリコーディングされたＳＲＳを結合して使用して、各アンテナのチャネル品質推定を行うことで、アンテナチャネル品質推定におけるＳＲＳリソースに対する占有を効果的に低減し、プリコーディングされたＤＭＲＳを単独に使用する場合に各アンテナのチャネル品質推定を行うことができないという欠点を回避する。
【０１０１】
また、本発明の第３実施例に係るチャネル品質推定方法によれば、プリコーディングされたＤＭＲＳとプリコーディングされたＳＲＳを結合してチャネル品質推定を行うため、２つの受信装置が必要なく、循環シフトリソースを占有することも低減され、従来技術における上述した欠点が解消される。
【０１０２】
例えば、４つのアンテナを有する移動局において上述した表１におけるプリコーディングインデックス０を用いてｒａｎｋ−２信号を送信する場合は、従来技術におけるプリコーディングされていないＤＭＲＳを利用してチャネル品質推定を行う案を採用すると、６つの循環シフトリソースを使用する必要がある。一方、本発明の第３実施例に係るチャネル品質推定方法を利用すると、プリコーディングされたＤＭＲＳとプリコーディングされたＳＲＳを結合してチャネル品質推定を行うため、４つの循環シフトリソースのみを利用することで各アンテナのチャネル品質推定値を取得することができる。そのうち、２つの循環シフトリソースはＤＭＲＳに用いられ、２つの循環シフトリソースはプリコーディングされたＳＲＳに用いられる。
【０１０３】
また、従来技術におけるプリコーディングされたＳＲＳを使用しない方法でチャネル品質推定を行うことを採用すると、アンテナ毎に１つのＳＲＳリソースが必要であるため、４つのＳＲＳリソースが必要である。即ち、従来技術の参照信号送信方法に比べると、本発明の第３実施例に係るチャネル品質推定方法を用いてチャネル品質推定を行うと、ＳＲＳリソースに対する占有を半分低減することができる。
【０１０４】
また、本発明の第３実施例に係るチャネル品質推定方法は、より少ないＳＲＳリソースを占有することによって、システムに対する干渉を更に低減し、システムのチャネル品質推定の精確性を増加することができる。
【０１０５】
好適には、本発明の第３実施例に係るチャネル品質推定方法において、第１のプリコーディングマトリックスと第２のプリコーディングマトリックスとは互いに直交してもよい。
【０１０６】
例えば、一例として、移動局は４つのアンテナを配置している。
【０１０７】
移動局から受信された、プリコーディングマトリックスPdata=[1  1  0  0;0  0  1  -j]Tを用いてプリコーディングされたＤＭＲＳに基づいて得られたチャネル品質推定値はh1,dmrsとh2,dmrsであり、移動局から受信された、プリコーディングマトリックスPsrs=[1  -1  0  0;0  0  1  j]Tを用いてプリコーディングされたＳＲＳに基づいて得られたチャネル品質推定値はh1,srsとh2,srsである。ここで、プリコーディングマトリックスPdataとプリコーディングマトリックスPsrsとは互いに直交していることは明らかである。
【０１０８】
そして、h1,dmrs、h2,dmrs、h1,srs及びh2,srs、並びにPdataとPsrsとが構成されたフルランク（ｆｕｌｌ  ｒａｎｋ）のマトリックス[1  1  0  0;0  0  1  −j;1  -1  0  0;0  0  1  j]Tに基づいて、以下の方程式の集合を取得できる。
【０１０９】
h1,dmrs=Hantenna1+Hantenna2+na，
h2,dmrs=Hantenna3-Hantenna4*j+nb，
h1,srs=Hantenna1-Hantenna2+nc，
h1,srs=Hantenna3+Hantenna4*j+nd。
【０１１０】
ここで、Hantennan(n∈{1,2,3,4})はｎ番目のアンテナのチャネル品質推定値であり、ｎａ、ｎｂ、ｎｃ及びｎｄはノイズである。
【０１１１】
上記式に示すように、方程式の数（即ち４つ）は解かれる変数（即ち各アンテナのチャネル品質推定値Hantennan(n∈{1,2,3,4})）の数と同じであるため、該方程式の集合を解くことで、以下のような各アンテナのチャネル品質推定値を取得できる。
【０１１２】
Hantenna1=H1,dmrs+h1,srs
Hantenna2=H1,dmrs-h1,srs
Hantenna3=H2,dmrs+h2,srs
Hantenna4=(H2,dmrs-h2,srs)/j
好適には、本発明の第３実施例に係るチャネル品質推定方法では、第１のプリコーディングマトリックス及び第２のプリコーディングマトリックスは、基地局により予め設定されて、移動局に通知してもよい。
【０１１３】
或いは、好適には、第１のプリコーディングマトリックスは基地局により予め設定されて、移動局に通知し、移動局が第１のプリコーディングマトリックスを受信した後で、第１のプリコーディングマトリックス、及び予め定義された第１のプリコーディングマトリックスと第２のプリコーディングマトリックスとの対応方式に基づいて第２のプリコーディングマトリックスを決定してもよい。
【０１１４】
また、好適には、本発明の第３実施例に係るチャネル品質推定方法では、第１のプリコーディングマトリックス及び第２のプリコーディングマトリックスは、基地局により不定期に変更されて、移動局に通知してもよい。
【０１１５】
なお、上述した本発明の第３実施例に係る例に用いられるプリコーディングマトリックスは一例に過ぎないものであり、本発明はここに例示されるものに限定されない。具体的な適用する要求に応じて、実際の無線通信システムの応用要求を満たすように、異なるプリコーディングマトリックスに設定してもよい。
【０１１６】
なお、図３に示されるフローチャートに基づいて本発明の第３実施例に係るチャネル品質推定方法を説明したが、図３に示されるフローチャートは一例に過ぎないものであり、本発明を限定するものではない、実際の要求に応じて図３に示されるフローチャートを変更又は修正してもよい。
【０１１７】
なお、図３に示されるフローチャートにおけるシリーズ処理を実行する際に、説明の順序、即ち時間の順序に従って順次実行してもよいし、必ずしも時間の順序に従って実行するものではない。或るステップは並行又は互いに独立に実行してもよい。
【０１１８】
図４は、本発明の第４実施例に係るチャネル品質推定方法を示すフローチャートである。
【０１１９】
図４に示すように、本発明の第４実施例に係るチャネル品質推定方法は、ステップＳ４０１から始まる。
【０１２０】
ステップＳ４０１において、第１のプリコーディングマトリックス及び第２のプリコーディングマトリックスは、基地局により予め設定されて、移動局に通知してもよい。或いは、第１のプリコーディングマトリックスだけは、基地局により予め設定されて、移動局に通知し、移動局が第１のプリコーディングマトリックスを受信した後で、第１のプリコーディングマトリックス、及び予め定義された第１のプリコーディングマトリックスと第２のプリコーディングマトリックスとの対応方式に基づいて第２のプリコーディングマトリックスを決定してもよい。
【０１２１】
次に、ステップＳ４０２において、受信された、移動局の複数のアンテナからデータと共に送信された、第１のプリコーディングマトリックスを用いてプリコーディングされた復調参照信号に基づいて、チャネル推定を行って復調参照信号チャネル推定値を取得し、受信された、データと共に送信された、第２のプリコーディングマトリックスを用いてプリコーディングされた測定参照信号に基づいて、チャネル推定を行って測定参照信号チャネル推定値を取得する。ここで、第１プリコーディングマトリックス及び第２のプリコーディングマトリックスの異なる列及び異なる行は異なるデータ及び異なるアンテナに対応している。
【０１２２】
次に、ステップＳ４０３において、第１のプリコーディングマトリックス及び取得された復調参照信号チャネル推定値に基づいて、対応するアンテナのチャネル品質推定値を変数とする第１の方程式の集合を取得し、第２のプリコーディングマトリックス及び取得された測定参照信号チャネル推定値に基づいて、対応するアンテナのチャネル品質推定値を変数とする第２の方程式の集合を取得する。ここで、第１のプリコーディングマトリックスにおける全ての列ベクトルと第２のプリコーディングマトリックスにおける全ての列ベクトルとを配列して構成されたマトリックスのランクがアンテナの個数以上である。
【０１２３】
次に、ステップＳ４０４おいて、第１の方程式の集合と第２の方程式の集合とを結合することによって、各アンテナのチャネル品質推定値を取得する。
【０１２４】
なお、具体的な適用する要求に応じて、実際の無線通信システムの応用要求を満たすように、本発明に用いられる第１のプリコーディングマトリックス及び第２のプリコーディングマトリックスなどを選択、或いは設定してもよい。
【０１２５】
以上のことから、本発明の第４実施例に係るチャネル品質推定方法によれば、受信された、基地局により予め設定された第１のプリコーディングマトリックスに基づいてプリコーディングされた復調参照信号及び基地局により予め設定された第２のプリコーディングマトリックスに基づいてプリコーディングされた測定参照信号のそれぞれに基づいてチャネル推定を行って、復調参照信号チャネル推定値及び測定参照信号チャネル推定値をそれぞれ取得し、且つこの２つのプリコーディングマトリックスにおける全ての列ベクトルを配列して構成されたマトリックスのランクがアンテナの個数以上であることによって、ＤＭＲＳ及びＳＲＳを結合して利用することで各アンテナのチャネル品質推定を行うことができる。
【０１２６】
本発明の第４実施例に係るチャネル品質推定方法によれば、プリコーディングされたＤＭＲＳとプリコーディングされたＳＲＳを結合して使用して、各アンテナのチャネル品質推定を行うことで、アンテナチャネル品質推定におけるＳＲＳリソースに対する占有を効果的に低減し、プリコーディングされたＤＭＲＳを単独に使用する場合に各アンテナのチャネル品質推定を行うことができないという欠点を回避する。
【０１２７】
また、本発明の第４実施例に係るチャネル品質推定方法によれば、プリコーディングされたＤＭＲＳとプリコーディングされたＳＲＳを結合してチャネル品質推定を行うため、２つの受信装置が必要なく、循環シフトリソースを占有することも低減され、従来技術における上述した欠点が解消される。
【０１２８】
好適には、本発明の第４実施例に係るチャネル品質推定方法において、第１のプリコーディングマトリックスと第２のプリコーディングマトリックスとは互いに直交してもよい。
【０１２９】
好適には、本発明の第４実施例に係るチャネル品質推定方法では、第１のプリコーディングマトリックス及び第２のプリコーディングマトリックスは、基地局により不定期に変更されて、移動局に通知してもよい。
【０１３０】
なお、具体的な適用する要求に応じて、実際の無線通信システムの参照信号とＣＱＩフィードバックとの間の遅延要求を満たすように、所定の参照信号周期を設定してもよい。
【０１３１】
なお、図４に示されるフローチャートに基づいて本発明の第４実施例に係るチャネル品質推定方法を説明したが、図４に示されるフローチャートは一例に過ぎないものであり、本発明を限定するものではない、実際の要求に応じて図４に示されるフローチャートを変更又は修正してもよい。
【０１３２】
なお、図４に示されるフローチャートにおけるシリーズ処理を実行する際に、説明の順序、即ち時間の順序に従って順次実行してもよいし、必ずしも時間の順序に従って実行するものではない。或るステップは並行又は互いに独立に実行してもよい。
【０１３３】
本発明の実施例によれば、本発明の実施例に係る参照信号送信方法を用いる移動局、本発明の実施例に係るチャネル品質推定方法を用いる基地局、及び上記移動局と上記基地局とを含む無線通信システムを更に提供する。
【０１３４】
図５は、本発明の第５実施例に係る移動局を示す模式図である。
【０１３５】
図５に示すように、本発明の第５実施例に係る移動局５００は、プリコーディング部（プリコーディング手段）５０１及び送信部（送信手段）５０２を含む。
【０１３６】
プリコーディング部５０１は、複数のアンテナにより送信されるデータをプリコーディングするための第１のプリコーディングマトリックスに基づいて、データと共に送信される復調参照信号をプリコーディングし、第２のプリコーディングマトリックスに基づいて、データと共に送信される測定参照信号をプリコーディングする。ここで、第１及び第２のプリコーディングマトリックスの異なる列及び異なる行が異なるデータ及び異なるアンテナに対応し、第１のプリコーディングマトリックスにおける全ての列ベクトルと第２のプリコーディングマトリックスにおける全ての列ベクトルとを配列して構成されたマトリックスのランクがアンテナの個数以上である。
【０１３７】
送信部５０２は、プリコーディングされた測定参照信号及びプリコーディングされた復調参照信号を送信する。
【０１３８】
なお、具体的な適用する要求に応じて、実際の無線通信システムの応用要求を満たすように、本発明に用いられる第１のプリコーディングマトリックス及び第２のプリコーディングマトリックスなどを選択、或いは設定してもよい。
【０１３９】
本発明の第５実施例に係る移動局５００の各手段により、上述した本発明の第１実施例に係る無線通信システムにおける参照信号送信方法を実施することができる。従って、説明を簡潔にするため、ここで上述した各手段の詳細説明は省略される。
【０１４０】
以上のことから、本発明の第５実施例に係る移動局５００によれば、第１のプリコーディングマトリックス及び第２のプリコーディングマトリックスのそれぞれに基づいてＤＭＲＳ及びＳＲＳをプリコーディングし、且つこの２つのプリコーディングマトリックスにおける全ての列ベクトルを配列して構成されたマトリックスのランクがアンテナの個数以上であることによって、対応する基地局側はＤＭＲＳ及びＳＲＳを結合して利用することで各アンテナのチャネル品質推定を行うことができる。
【０１４１】
本発明の第５実施例に係る移動局５００によれば、プリコーディングされたＤＭＲＳとプリコーディングされたＳＲＳを結合して使用することでアンテナチャネル品質推定におけるＳＲＳリソースに対する占有を効果的に低減し、プリコーディングされたＤＭＲＳを単独に使用する場合に各アンテナのチャネル品質推定を行うことができないという欠点を回避する。
【０１４２】
また、本発明の第５実施例に係る移動局５００によれば、プリコーディングされたＤＭＲＳ及びプリコーディングされたＳＲＳを送信することで、基地局側はプリコーディングされたＤＭＲＳとプリコーディングされたＳＲＳを結合してチャネル品質推定を行うことができる。従って、２つの受信装置が必要なく、循環シフトリソースを占有することも低減され、従来技術における上述した欠点が解消される。
【０１４３】
また、好適には、本発明の第５実施例に係る移動局５００では、第１のプリコーディングマトリックス及び第２のプリコーディングマトリックスは、基地局により予め設定されて、移動局に通知してもよい。
【０１４４】
或いは、好適には、第１のプリコーディングマトリックスは基地局により予め設定されて、移動局に通知し、移動局が第１のプリコーディングマトリックスを受信した後で、第１のプリコーディングマトリックス、及び予め定義された第１のプリコーディングマトリックスと第２のプリコーディングマトリックスとの対応方式に基づいて第２のプリコーディングマトリックスを決定してもよい。
【０１４５】
好適には、本発明の第５実施例に係る移動局５００において、第１のプリコーディングマトリックスと第２のプリコーディングマトリックスとは互いに直交してもよい。
【０１４６】
また、好適には、本発明の第５実施例に係る移動局５００では、第１のプリコーディングマトリックス及び第２のプリコーディングマトリックスは、基地局により不定期に変更されて、移動局に通知してもよい。
【０１４７】
なお、図５に示される模式図に基づいて本発明の第５実施例に係る移動局５００を説明したが、図５に示される模式図は一例に過ぎないものであり、本発明を限定するものではない、実際の要求に応じて図５に示される模式図を変更又は修正してもよい。
【０１４８】
図６は、本発明の第６実施例に係る基地局６００を示す模式図である。
【０１４９】
図６に示すように、本発明の第６実施例に係る基地局６００は、チャネル推定部（チャネル推定手段）６０１、第１の演算部（第１の演算手段）６０２、及び第２の演算部（第２の演算手段）６０３を含む。
【０１５０】
チャネル推定部６０１は、受信された、移動局の複数のアンテナからデータと共に送信された、第１のプリコーディングマトリックスによりプリコーディングされた復調参照信号基づいて、チャネル推定を行って、復調参照信号チャネル推定値を取得し、受信された、データと共に送信された、第２のプリコーディングマトリックスによりプリコーディングされた測定参照信号基づいて、チャネル推定を行って、測定参照信号チャネル推定値を取得する。ここで、第１及び第２のプリコーディングマトリックスの異なる列及び異なる行が異なるデータ及び異なるアンテナに対応している。
【０１５１】
第１の演算部６０２は、第１のプリコーディングマトリックス及び取得された復調参照信号チャネル推定値に基づいて、対応するアンテナのチャネル品質推定値を変数とする第１の方程式の集合を取得し、第２のプリコーディングマトリックス及び取得された測定参照信号チャネル推定値に基づいて、対応するアンテナのチャネル品質推定値を変数とする第２の方程式の集合を取得する。ここで、第１のプリコーディングマトリックスにおける全ての列ベクトルと前記第２のプリコーディングマトリックスにおける全ての列ベクトルとを配列して構成されたマトリックスのランクがアンテナの個数以上である、
第２の演算部６０３は、第１の方程式の集合と第２の方程式の集合とを結合することによって、各アンテナのチャネル品質推定値を取得する。
【０１５２】
なお、具体的な適用する要求に応じて、実際の無線通信システムの応用要求を満たすように、本発明に用いられる第１のプリコーディングマトリックス及び第２のプリコーディングマトリックスなどを選択、或いは設定してもよい。
【０１５３】
本発明の第６実施例に係る基地局６００の各手段により、上述した本発明の第３実施例に係る無線通信システムにおけるチャネル品質推定方法を実施することができる。従って、説明を簡潔にするため、ここで上述した各手段の詳細説明は省略される。
【０１５４】
以上のことから、本発明の第６実施例に係る基地局６００によれば、受信された第１のプリコーディングマトリックスによりプリコーディングされた復調参照信号及び第２のプリコーディングマトリックスによりプリコーディングされた測定参照信号のそれぞれに基づいてチャネル推定を行って、復調参照信号チャネル推定値及び測定参照信号チャネル推定値を取得し、且つこの２つのプリコーディングマトリックスにおける全ての列ベクトルを配列して構成されたマトリックスのランクがアンテナの個数以上であることによって、ＤＭＲＳ及びＳＲＳを結合して利用することで各アンテナのチャネル品質推定を行うことができる。
【０１５５】
本発明の第６実施例に係る基地局６００によれば、プリコーディングされたＤＭＲＳとプリコーディングされたＳＲＳを結合して使用して、各アンテナのチャネル品質推定を行うことで、アンテナチャネル品質推定におけるＳＲＳリソースに対する占有を効果的に低減し、プリコーディングされたＤＭＲＳを単独に使用する場合に各アンテナのチャネル品質推定を行うことができないという欠点を回避する。
【０１５６】
また、本発明の第６実施例に係る基地局によれば、プリコーディングされたＤＭＲＳとプリコーディングされたＳＲＳを結合してチャネル品質推定を行うため、２つの受信装置が必要なく、循環シフトリソースを占有することも低減され、従来技術における上述した欠点が解消される。
【０１５７】
好適には、本発明の第６実施例に係る基地局６００では、第１のプリコーディングマトリックス及び第２のプリコーディングマトリックスは、基地局により予め設定されて、移動局に通知してもよい。
【０１５８】
或いは、好適には、第１のプリコーディングマトリックスは基地局により予め設定されて、移動局に通知し、移動局が第１のプリコーディングマトリックスを受信した後で、第１のプリコーディングマトリックス、及び予め定義された第１のプリコーディングマトリックスと第２のプリコーディングマトリックスとの対応方式に基づいて第２のプリコーディングマトリックスを決定してもよい。
【０１５９】
好適には、本発明の第６実施例に係る基地局６００において、第１のプリコーディングマトリックスと第２のプリコーディングマトリックスとは互いに直交してもよい。
【０１６０】
また、好適には、本発明の第６実施例に係る基地局６００では、第１のプリコーディングマトリックス及び第２のプリコーディングマトリックスは、基地局により不定期に変更されて、移動局に通知してもよい。
【０１６１】
なお、図６に示される模式図に基づいて本発明の第６実施例に係る基地局６００を説明したが、図６に示される模式図は一例に過ぎないものであり、本発明を限定するものではない、実際の要求に応じて図６に示される模式図を変更又は修正してもよい。
【０１６２】
図７は、本発明の第７実施例に係る無線通信システムを示す模式図である。
【０１６３】
図７に示すように、無線通信システム７００は、移動局７０１及び基地局７０２を含む。
【０１６４】
移動局７０１は、プリコーディング部７０３及び送信部７０４を含む。
【０１６５】
プリコーディング部７０３は、複数のアンテナにより送信されるデータをプリコーディングするための第１のプリコーディングマトリックスに基づいて、データと共に送信される復調参照信号をプリコーディングし、第２のプリコーディングマトリックスに基づいて、データと共に送信される測定参照信号をプリコーディングする。ここで、第１及び第２のプリコーディングマトリックスの異なる列及び異なる行が異なるデータ及び異なるアンテナに対応し、第１のプリコーディングマトリックスにおける全ての列ベクトルと第２のプリコーディングマトリックスにおける全ての列ベクトルとを配列して構成されたマトリックスのランクがアンテナの個数以上である。
【０１６６】
送信部７０４は、プリコーディングされた測定参照信号及びプリコーディングされた復調参照信号を送信する。
【０１６７】
基地局７０２は、チャネル推定部７０５、第１の演算部７０６、及び第２の演算部７０７を含む。
【０１６８】
チャネル推定部７０５は、受信された、移動局の複数のアンテナからデータと共に送信された、第１のプリコーディングマトリックスによりプリコーディングされた復調参照信号基づいて、チャネル推定を行って、復調参照信号チャネル推定値を取得し、受信された、データと共に送信された、第２のプリコーディングマトリックスによりプリコーディングされた測定参照信号基づいて、チャネル推定を行って、測定参照信号チャネル推定値を取得する。ここで、第１及び第２のプリコーディングマトリックスの異なる列及び異なる行が異なるデータ及び異なるアンテナに対応している。
【０１６９】
第１の演算部７０６は、第１のプリコーディングマトリックス及び取得された復調参照信号チャネル推定値に基づいて、対応するアンテナのチャネル品質推定値を変数とする第１の方程式の集合を取得し、第２のプリコーディングマトリックス及び取得された測定参照信号チャネル推定値に基づいて、対応するアンテナのチャネル品質推定値を変数とする第２の方程式の集合を取得する。ここで、第１のプリコーディングマトリックスにおける全ての列ベクトルと前記第２のプリコーディングマトリックスにおける全ての列ベクトルとを配列して構成されたマトリックスのランクがアンテナの個数以上である、
第２の演算部７０７は、第１の方程式の集合と第２の方程式の集合とを結合することによって、各アンテナのチャネル品質推定値を取得する。
【０１７０】
なお、具体的な適用する要求に応じて、実際の無線通信システムの応用要求を満たすように、本発明に用いられる第１のプリコーディングマトリックス及び第２のプリコーディングマトリックスなどを選択、或いは設定してもよい。
【０１７１】
本発明の第７実施例に係る無線通信システム７００の各手段により、上述した本発明の第１実施例に係る参照信号送信方法及び本発明の第３実施例に係るチャネル品質推定方法を実施することができる。従って、説明を簡潔にするため、ここで上述した各手段の詳細説明は省略される。
【０１７２】
以上のことから、本発明の第７実施例に係る無線通信システム７００における基地局７０２は移動局７０１から受信された第１のプリコーディングマトリックスによりプリコーディングされた復調参照信号及び移動局７０２から受信された第２のプリコーディングマトリックスによりプリコーディングされた測定参照信号のそれぞれに基づいてチャネル推定を行って、復調参照信号チャネル推定値及び測定参照信号チャネル推定値をそれぞれ取得し、且つこの２つのプリコーディングマトリックスにおける全ての列ベクトルを配列して構成されたマトリックスのランクがアンテナの個数以上であることによって、ＤＭＲＳ及びＳＲＳを結合して利用することで各アンテナのチャネル品質推定を行うことができる。
【０１７３】
本発明の第７実施例に係る無線通信システム７００によれば、プリコーディングされたＤＭＲＳとプリコーディングされたＳＲＳを結合して使用して、各アンテナのチャネル品質推定を行うことで、アンテナチャネル品質推定におけるＳＲＳリソースに対する占有を効果的に低減し、プリコーディングされたＤＭＲＳを単独に使用する場合に各アンテナのチャネル品質推定を行うことができないという欠点を回避する。
【０１７４】
また、本発明の第７実施例に係る無線通信システム７００によれば、プリコーディングされたＤＭＲＳとプリコーディングされたＳＲＳを結合してチャネル品質推定を行うため、２つの受信装置が必要なく、循環シフトリソースを占有することも低減され、従来技術における上述した欠点が解消される。
【０１７５】
好適には、本発明の第７実施例に係る無線通信システム７００では、第１のプリコーディングマトリックス及び第２のプリコーディングマトリックスは、基地局により予め設定されて、移動局に通知してもよい。
【０１７６】
或いは、好適には、第１のプリコーディングマトリックスは基地局により予め設定されて、移動局に通知し、移動局が第１のプリコーディングマトリックスを受信した後で、第１のプリコーディングマトリックス、及び予め定義された第１のプリコーディングマトリックスと第２のプリコーディングマトリックスとの対応方式に基づいて第２のプリコーディングマトリックスを決定してもよい。
【０１７７】
好適には、本発明の第７実施例に係る無線通信システム００において、第１のプリコーディングマトリックスと第２のプリコーディングマトリックスとは互いに直交してもよい。
【０１７８】
また、好適には、本発明の第７実施例に係る無線通信システム７００では、第１のプリコーディングマトリックス及び第２のプリコーディングマトリックスは、基地局により不定期に変更されて、移動局に通知してもよい。
【０１７９】
なお、図７に示される模式図に基づいて本発明の第７実施例に係る無線通信システム７００を説明したが、図７に示される模式図は一例に過ぎないものであり、本発明を限定するものではない、実際の要求に応じて図７に示される模式図を変更又は修正してもよい。
【０１８０】
本発明及びその利点を説明したが、添付の特許請求の範囲に限定されている本発明の主旨及び範囲を離脱しない限り、本発明に対して各種の変更、代替、変換を行ってもよい。
【０１８１】
なお、本文では、「含む」、「包括（有する）」の語又はその他の変形語は、非排他的な「含む」を包括するため用いられ、これにより、一連の要素を含むプロセス、方法、物品又は装置は、これらの要素だけでなく、明記されていない他の要素を含んでもよく、或いは、このプロセス、方法、物品又は装置が所有する固有の要素を含むものである。より多くの限定が無い場合、「…を含む」という語句で限定される要素は、この要素を含むプロセス、方法、物品又は装置に存在する他の同じ要素を排除しない。
【０１８２】
上記の説明は、本発明の好適な実施例に過ぎず、本発明の実施の範囲がこれらに限定されず、本発明の特許請求の範囲及び明細書の内容に基づいて、当業者によって任意の変更及び変形が可能であり、本発明の保護範囲は特許請求の範囲を基準とする。
【図１】
0005494888.tif 000005
【図２】
0005494888.tif 000006
【図３】
0005494888.tif 000007
【図４】
0005494888.tif 000008
【図５】
0005494888.tif 000009
【図６】
0005494888.tif 000010
【図７】
0005494888.tif 000011